(57)【要約】  【課題】農薬を片手で容易に散布することができる農薬散布器に関し、特に、サトウキビ栽培における病害虫の駆除・防除のための農薬散布器であって、散布器への農薬の収容・散布器の持ち運び・農薬の散布が簡便・容易で、且つ散布者にとって安全で効率良く農薬を散布することができる農薬散布器を提供すること。  【解決手段】棒状の持ち手部と、農薬を収容するための収容部と、該持ち手部と該収容部とを着脱可能に連結する接続部と、農薬を噴出させるための孔が設けられた散布面を有する散布部とから構成される農薬散布器であって、該棒状の持ち手部を片手で握り、前後に振動させ、該散布面の孔から農薬を噴出させて散布することを特徴とする農薬散布器である。【選択図】  図１
2008228635.tif 000002
【特許請求の範囲】
【請求項１】
棒状の持ち手部と、
筒状に形成された農薬を収容するための収容部と、
該持ち手部と該収容部とを着脱可能に連結する接続部と、
該収容部の先端部に設けられ、農薬を噴出させるための孔が設けられた散布面を有する散布部とから構成される農薬散布器であって、
該棒状の持ち手部を片手で握り、前後に振動させ、該散布面の孔から農薬を噴出させて散布することを特徴とする農薬散布器。
【請求項２】
前記の散布面の面積は、収容部の断面積よりも大きいことを特徴とする請求項１に記載の農薬散布器。
【請求項３】
前記の持ち手部の握り部から農薬が噴出する散布面までの距離が３０センチメートル以上であることを特徴とする請求項１又は請求項２のいずれかの項に記載の農薬散布器。
【請求項４】
前記の散布部と収容部とは可撓的に連結され、且つ所望の方向に保持できるよう構成されていることを特徴とする請求項１から請求項３までのいずれかの項に記載の農薬散布器。
【請求項５】
前記の散布面は、着脱自在に散布部に設けられ、散布面に設けられた孔の形状は、円形、楕円形、多角形又は網状、格子状であることを特徴とする請求項１から請求項４までのいずれかの項に記載の農薬散布器。
【請求項６】
前記の散布部又は散布面のいずれかに、散布面から噴出する農薬の噴出量を調節する調節手段が設けられていることを特徴とする請求項１から請求項４までのいずれかの項に記載の農薬散布器。
【請求項７】
前記の散布部には、散布面を覆い、散布時以外は散布面から農薬が漏出することを防止するためのカバーが設けられていることを特徴とする請求項１から請求項６までのいずれかの項に記載の農薬散布器。
【請求項８】
前記の接続部において、収容部と連結する側の先端部はシャベル形状に形成され、該シャベル形状部分は、収容部内に収納されて接続部と収容部とが連結されることを特徴とする請求項１から請求項７までのいずれかの項に記載の農薬散布器。
【請求項９】
前記の持ち手部は、長さ調整手段が設けられていることを特徴とする請求項１から請求項８までのいずれかの項に記載の農薬散布器。
【発明の詳細な説明】
【技術分野】
【０００１】
本発明は、農薬を片手で容易に散布することができる農薬散布器に関し、特に、サトウキビの植付け及び栽培における病害虫の駆除・防除のための農薬散布器であって、散布器への農薬の収容・散布器の持ち運び・農薬の散布が簡便・容易で、且つ散布者にとって安全で効率良く農薬を散布することができる農薬散布器に関するものである。
【背景技術】
【０００２】
従来の農薬散布器として、下記特許文献１が開示されている。
これは、農薬を収容する容器本体に、所望の形状の散布ヘッドを連結し、散布ヘッドの先端部に孔を設け、この孔から農薬を流出させて散布するというものである。
この発明によれば、粒状の農薬を定量的且つ効率的に散布することができる。
【特許文献１】特平１０−３２４３７６号公報
【発明の開示】
【発明が解決しようとする課題】
【０００３】
しかしながら、上記公報記載の発明は、
農薬を定量的に散布することを目的としているため、散布用の孔を設けてある散布ヘッドの形状は、散布ヘッドの内径が散布ヘッドの基部から先端部に向かって上下方向に縮小しており、散布用の孔のある先端頭部の面積が非常に小さく、一定時間内に散布することができる農薬の量が非常に少ない。
【０００４】
また、散布ヘッドに設けられた孔は、容器本体の長手方向に農薬が流出されるようにしか設けられていないため、常に容器を傾けた状態で散布しなければならず散布者の容器を持つ手首に過度の負担が掛かり、長時間の散布作業に適さない。
【０００５】
また、容器を持つ取手部分が容器本体と一体に形成されており、作業者の近くに農薬を散布することとなり、農薬を吸い込む可能性が高く、また、高い位置からの散布や広範な面積を散布するには適さないという問題がある。
【０００６】
本発明は、上述の問題点に鑑みてなされたものであり、その目的は、農薬を片手で容易に散布することができる農薬散布器に関し、特に、サトウキビ栽培における病害虫の駆除・防除のための農薬散布器であって、散布器への農薬の収容・散布器の持ち運び・農薬の散布が簡便・容易で、且つ散布者にとって安全で効率良く農薬を散布することができる農薬散布器を提供することにある。
【課題を解決するための手段】
【０００７】
上記課題を解決するため、本発明においては、次の技術的手段を講じている。
【０００８】
本発明の請求項１に係る農薬散布器は、
棒状の持ち手部と、
筒状に形成された農薬を収容するための収容部と、
該持ち手部と該収容部とを着脱可能に連結する接続部と、
該収容部の先端部に設けられ、農薬を噴出させるための孔が設けられた散布面を有する散布部と
から構成される農薬散布器であって、
該棒状の持ち手部を片手で握り、前後に振動させ、該散布面の孔から農薬を噴出させて散布する
ことを特徴としている。
【０００９】
本発明の請求項２に係る農薬散布器は、
前記の散布面の面積が、収容部の断面積よりも大きい
ことを特徴としている。
【００１０】
本発明の請求項３に係る農薬散布器は、
前記の持ち手部の握り部から農薬が噴出する散布面までの距離が３０センチメートル以上である
ことを特徴としている。
【００１１】
本発明の請求項４に係る農薬散布器は、
前記の散布部と収容部とは可撓的に連結され、且つ所望の方向に保持できるよう構成されている
ことを特徴としている。
【００１２】
本発明の請求項５に係る農薬散布器は、
前記の散布面は、着脱自在に散布部に設けられ、散布面に設けられた孔の形状は、円形、楕円形、多角形又は網状、格子状である
ことを特徴としている。
【００１３】
本発明の請求項６に係る農薬散布器は、
前記の散布部又は散布面のいずれかに、散布面から噴出する農薬の噴出量を調節する調節手段が設けられている
ことを特徴としている。
【００１４】
本発明の請求項７に係る農薬散布器は、
前記の散布部には、散布面を覆い、散布時以外は散布面から農薬が漏出することを防止するためのカバーが設けられている
ことを特徴としている。
【００１５】
本発明の請求項８に係る農薬散布器は、
前記の接続部において、収容部と連結する側の先端部はシャベル形状に形成され、該シャベル形状部分は、収容部内に収納されて接続部と収容部とが連結される
ことを特徴としている。
【００１６】
本発明の請求項９に係る農薬散布器は、
前記の持ち手部は、長さ調整手段が設けられている
ことを特徴としている。
【発明の効果】
【００１７】
本発明では以下のような効果がある。
【００１８】
棒状の持ち手部と、筒状に形成された農薬を収容するための収容部と、該持ち手部と該収容部とを着脱可能に連結する接続部と、該収容部の先端部に設けられ、農薬を散布するための孔が設けられた散布面を有する散布部とから構成される農薬散布器であって、持ち手部を片手で握り、前後に振動させ、該散布面の孔から農薬を噴出させることにより、散布者が片手で安全且つ簡便な方法で農薬を散布することができる。
【００１９】
散布面の面積が、収容部の断面積よりも大きいことにより、農薬の流出範囲が大きく、且つ流出量が多いので、一定時間内の散布範囲が大きく且つ散布量が多いため、散布効率が高く、散布時間を短縮することができる。
【００２０】
持ち手部の握り部から農薬が噴出する散布面までの距離が３０センチメートル以上であることにより、持ち手部が一体に形成された散布容器を使用して農薬を散布する場合に比べて、散布した農薬が飛散して散布者が農薬を浴びる量を大幅に低減でき、安全に散布作業を行うことができる。
【００２１】
散布部と収容部とは可撓的に連結され、且つ所望の方向に保持できるよう構成されていることにより、散布対象に合わせて最適且つ効率的な散布を可能にするべく、散布作業中、散布部を所望の方向に指向させ、これを保持して農薬を散布することができるので、逐一散布器を持ち替えたり、散布角度を調節しながら散布する必要がなく、散布作業を容易に行うことができる。
【００２２】
散布面は、着脱自在に散布部に設けられ、散布面に設けられた孔の形状は、円形、楕円形、多角形又は網状、格子状であることにより、散布する農薬の種類、粒度などに合わせて最適な孔の形状を有する部材への交換が可能となり、最適な散布作業を行え、散布効率の向上を図ることができる。
【００２３】
散布部又は散布面のいずれかに、散布面から噴出する農薬の噴出量を調節する調節手段が設けられていることにより、散布面を取り替えることなく、種々の散布対象・散布目的又は散布する農薬の種類、粒度などに適応した孔の大きさに調節することができ、最適な散布作業を行え、散布効率の向上を図ることができる。
【００２４】
散布部には、散布面を覆い、散布時以外は散布面から農薬が漏出することを防止するためのカバーが設けられていることにより、不使用時又は移動時など、不意に農薬が漏出することを防ぎ、安全に取り扱うことができる。
【００２５】
接続部において、収容部と連結する側の先端部はシャベル形状に形成され、該シャベル形状部分は、収容部内に収納されて接続部と収容部とが連結されることにより、収容器への農薬の充填に際し、接続部を収容部から取り外した後、接続部を持ったまま先端部のシャベル形状部分で農薬を掬い取って農薬を充填することができ、またシャベル形状部分ごと収容部内に収納して接続部を収容部に連結することができるので農薬の充填作業が非常に簡便且つ安全であり、農薬の取り扱いの安全性と作業効率の向上を図ることができる。
【００２６】
持ち手部は、長さ調整手段が設けられていることにより、足元への散布だけでなく、広範な範囲や高い位置からの散布が可能となり、作業効率の向上を図ることができ、また持ち手部から散布面までの距離をより長くすることができるので、散布した農薬が飛散して散布者が農薬を浴びる量を大幅に低減でき、安全に散布作業を行うことができる。
【発明を実施するための最良の形態】
【００２７】
以下、本発明の実施形態について図面を用いて説明する。
【００２８】
図１は、農薬散布器の斜視図を表すものであり、本発明に係る農薬散布器の一実施例を示すものである。
【００２９】
本発明に係る農薬散布器は、図１に示すように、散布面１、散布部２、収容部３、接続部４、持ち手部５とからなる。
【００３０】
散布部２は、収容部３の先端に連結され、収容部３と共にその内部に農薬を収容する。
散布部２の形状は、収容部３と連結される側の開口部分から散布面１の方向に向かうに従って径が大きくなる形状となっている。
【００３１】
散布部２と収容部３との径の大きさは、同じである必要はなく、また本実施例のように連結部分の径を同じにする必要もない。
【００３２】
本実施例における散布部２は、散布面１付近の形状が円筒状になっているが、楕円筒状、多角筒状などの種々の形状としても良い。
【００３３】
また、散布部２は、収容部３とは着脱自在に構成しても良い。
この場合、例えば、散布部２と収容部３との連結部分を、雄ネジ部と雌ネジ部とで構成し、互いを螺合させることによって連結しても良い。
【００３４】
これにより、散布対象・散布目的に応じた異なる散布角度・散布面積を有する部材への交換が可能となり、最適な散布作業を行うことができ、散布効率の向上を図ることができる。
【００３５】
また、散布部２は、図２のように、収容部３とは可撓的に連結され、且つ所望の方向に保持できるよう構成することもできる。
図２は、散布部２と収容部３とを可撓的に連結した一実施例を示したものである。
【００３６】
例えば、ゴムなどの軟質弾性材をいわゆるアコーディオン状に形成したチューブ６によって散布部２と収容部３とを連結する。
【００３７】
チューブ６は、プラスチックなどの合成樹脂材などでもよく、また蛇腹状などに形成されたものでもよい。
【００３８】
また、金属材や合成樹脂材のフレキシブルに可撓する中空のアームにチューブ６を被覆して連結されるように構成しても良い。
【００３９】
散布部２を収容部３と可撓的に連結することにより、散布作業中、散布部２を所望の方向に指向させて保持し、農薬を散布することができるので、散布者は、逐一散布器を持ち替えたり、散布角度を調節しながら散布する必要がなく、散布作業を容易に行うことができる。
【００４０】
散布部２は、農薬を噴出させるための孔７が設けられた散布面１を有する。散布面１の面積は、収容部３の断面積よりも大きい面積とする。
【００４１】
これにより、農薬の噴出量が多くなり、一定時間内における散布範囲が大きく且つ散布量が多くなる。従来の散布器に比べて、散布効率がよく、散布時間を短縮することができる。
【００４２】
本実施例では、収容部３の外径は５センチメートル、散布面１の外径は１０センチメートルとする。この場合、１分間当たり、おおむね、幅５０センチメートルで長さ２０〜３０メートルの散布が可能となる。
【００４３】
従来からあるような、散布面の面積が収容部の断面積と同じ大きさの散布器は、散布量を多くするために散布面の面積を大きくすれば収容部の断面積も大きくなってしまい、農薬の充填量が多くなりすぎて、片手で農薬を散布するには不適当な重さになってしまう。
【００４４】
また、散布量を多くするためには、散布面１に設けられた散布用の孔を大きくすることによっても実現できるが、農薬の種類によっては、１つの孔から噴出される農薬の量が多くなるのみで、適量の農薬を均一に散布することができなくなるものもある。
【００４５】
そこで、散布用の孔７の大きさは変えずに散布面１の面積を大きくすることで、適量の農薬を均一に散布することを可能としつつ、一定時間内における散布範囲が大きく且つ散布量を多くすることができる。
【００４６】
孔７の形状・大きさ・位置は、散布する農薬の種類によって変えることができるものとする。形状は、円形のほか、楕円形、多角形、網状、格子状など種々の形状としても良く、散布する農薬の種類、粒度、形状などに合わせて最適な形状にすることで、散布対象・散布目的に合った噴出量に調節することができ、散布効率の向上を図ることができる。
【００４７】
また、散布面１は、散布部２とは独立した部材として、着脱自在に連結されるよう構成しても良い。
【００４８】
これにより、散布対象・散布目的、散布する農薬の種類、粒度、形状などに合わせて、予め円形、楕円形、多角形、網状、格子状など種々の形状とした孔を設けた部材の中から、最適な孔の形状を有する散布面を有する部材への交換が可能となり、散布効率の向上を図ることができる。
【００４９】
散布面１の内側には、農薬の噴出量を調節する調節手段としてスリットを設けている。スリットは、散布面１と同一の円形の形状からなり、扇状に開口した部分を複数有する。
【００５０】
スリットは、散布面１に回転自在に軸着され、回転させることによって、閉口した部分で散布面１の孔７を塞ぎ、孔７から噴出する農薬の量を調節する。
【００５１】
スリットの回転は、凸状に形成されたスリットの一部を散布部２の側面に設けた孔７から突出させ、これを円周方向にスライドさせることによって行う。
【００５２】
スリットは、例えば散布面１が四角形の形状であれば、スリットも四角形の形状にするなど、円形である必要はない。
【００５３】
また、スリットは散布面１と同一である必要はなく、孔７を塞いで農薬の噴出量を調節できればいずれの形状でもよい。
【００５４】
農薬の噴出量を調節する調節手段を設けることで、散布者は、散布作業中、本発明に係る農薬散布器を持つ反対の手で容易に農薬の噴出量を調節することができ、散布対象・散布目的、農薬の種類、粒度、形状などに合わせて散布量を調節でき、作業効率の向上が期待できる。
【００５５】
農薬の噴出量を調節する調節手段は、散布面１と散布部２のいずれの側に設けても良い。
【００５６】
図３は、散布面１に農薬漏出を防止するカバー８を設けた斜視図である。
カバー８は、散布面１を覆い、散布面１に設けられた孔７から農薬が漏出することを防止するために設けられたものであり、不使用時又は移動時等に農薬が不意に漏出しないので、より安全な取り扱いを図ることができる。
【００５７】
収容部３は、筒状に形成され、先端部に設けられた散布部２と共に内部に農薬を収容する。
収容部３が収容できる農薬は、殺虫剤、除草剤、肥料など種々の農薬を収容できるが、液状の農薬は適さない。
【００５８】
本実施例における収容部３の形状は、断面が円形の筒状であるが、内部に農薬を収容でき、且つ接続部４の収容部３と連結する側の先端部に形成されたシャベル形状部分９をも内部に収容できる中空の筒状のものであれば、いずれの形状であっても良く、例えば断面が楕円形、多角形等であっても構わない。
【００５９】
一度に散布する量が多い場合など、収容する農薬の量を多くしたい場合は、収納部を、より長い形状にすることで実現できる。
【００６０】
図４は、シャベル形状部分９が一体に形成されている接続部４と、接続部４に連結された持ち手部５の一実施例である斜視図を示す。
接続部４は、収容部３と連結され、収容部３と連結する側の先端部は、シャベル形状に形成されている。
【００６１】
接続部４は、単に収容部３と持ち手部５とを着脱可能に連結する「部品」としての役割だけでなく、散布部２と収容部３とからなる「農薬を収容する容器」に対して「蓋」の役割も果たす。
【００６２】
また、先端部に形成されたシャベル形状部分９によって、農薬の充填作業に使用する「道具」としての役割も果たす。
【００６３】
シャベル形状部分９で農薬を掬った後は、シャベル形状部分９ごと農薬を収容部３へ収容することができるように、シャベル形状部分９は、収容部３の断面よりも小さいものでなければならない。
。
【００６４】
シャベル形状部分９ごと農薬を収容部３へ収容することができ、且つ接続部４と構成されていれば、いずれの形状、構成でも構わない。
【００６５】
シャベル形状部分９は、農薬を掬うことができれば、スコップ形状の他、半筒体などいずれの形状でも良く、シャベル形状部分９の先端部も円弧状や直線状でも良い。
【００６６】
また、シャベル形状部分９は、接続部４とは着脱が可能な構成にしても良い。接続部４は、シャベル形状部分９とは反対側の端部に取っ手を設けても良い。
【００６７】
これにより、安定して接続部４を把持して農薬の充填作業を行うことができる。
【００６８】
従って、本発明に係る農薬散布器以外に一切の道具を必要としない。また、充填作業に際し、農薬が直接手に触れることないので、安全に充填作業を行うことができる。
【００６９】
持ち手部５は、棒状の形状からなり、散布者が本発明に係る農薬散布器を安定して把持することができるように握り部１０が形成されている。
【００７０】
本実施例では、握り部１０は、散布者が確実且つ安定して持ち手部５を把持できるように、把持する手の各指が収まりやすいように凹凸を施してあるが、握り部１０の周囲をゴムなどの弾性体で覆っても良い。
これにより、安定して散布作業を行うことができる。
【００７１】
また、持ち手部５は、長さ調節手段を備える。本実施例では、長さ調節手段は、棒状の外筒からなる持ち手部５の内部に、内筒が軸方向に摺動可能に挿入され、外筒の締付部材１１を回動させることで外筒の内部に挿入されている内筒を周囲から締め付け、所望の長さの位置で内筒を圧接して固定する方法で、持ち手部５の長さ調節を図る。
【００７２】
また、この内筒を二重、三重にして、複数の内筒が軸方向に摺動可能に挿入されるように構成することで、持ち手部５は、外筒の長さの何倍もの延伸が可能となる。
【００７３】
持ち手部５の延伸を調節した後の調節位置を固定する手段は、本実施例の他、内筒の側面に出没自在に取り付けられたロックピンと、これに対応するように外筒の側面に軸方向に点設されたロック穴とを、所望の長さのロック穴の位置でロックピンを係合させて調節固定するようにしても良い。
【００７４】
また、足元に散布する場合など、近距離の範囲で散布する場合には、持ち手部５を接続部４とは連結せずに、接続部４に一体形成された取っ手を把持して散布作業を行うこともできる。
【００７５】
このように散布対象・散布範囲に合わせて最適な散布を可能とする農薬散布器を提供することができる。
【００７６】
また、本発明に係る農薬散布器は、散布面１、散布部２、収容部３、接続部４、持ち手部５の各構成部を連結した状態で、持ち手部５の握り部１０から農薬が噴出する散布面１までの距離が３０センチメートル以上となるように構成されている。
【００７７】
農薬の散布作業は、農薬の種類によっては、保護眼鏡、防護マスク、手袋、不浸透性防除衣などを着用して散布しなければならないほど人体への悪影響が懸念される危険な作業であるが、従来の発明では、散布者の容器を持つ手と散布容器から農薬が放出される孔までの距離が短かったために、散布後に飛散した農薬を浴びたり、吸い込んだりする危険性が高く、健康衛生上望ましいものではなかった。
【００７８】
しかし、本発明に係る農薬散布器によれば、散布者の持ち手部５の握り部１０から農薬が噴出される散布面１までの距離が３０センチメートル以上と長いため、散布者が飛散した農薬を浴びたり吸い込む危険性を低減でき、安全に散布作業を行うことができる。
【００７９】
また、農薬の充填作業も直接手に触れることなく行うことができるので安全且つ簡便であり、また直接手の届かない範囲や高い位置からの散布が可能になることで、作業効率の向上も図ることができる。
【００８０】
また、本発明に係る農薬散布器は、特に、サトウキビ栽培における病害虫の駆除・防除を目的として使用されるものである。
【００８１】
そして、サトウキビ全体に農薬を散布するためには、サトウキビの真上から農薬を落下させるように散布する必要がある。
図５は、本発明に係る農薬散布器を使って、サトウキビの真上から農薬を散布する一実施例を示す図である。
【００８２】
サトウキビ栽培に特に被害を及ぼす害虫として、沖縄県では「カンシャコバネナガカメムシ」が多く発生するが、この「カンシャコバネナガカメムシ」を駆除・防除するため、従来は農薬散布車などによって農薬を散布していた。
【００８３】
しかし、近年の住宅・宅地の需要増加に伴い、農薬散布車などによる散布は、農薬が近隣の住宅地域等へ飛散する影響が大きいため、サトウキビ栽培者の手によって直接サトウキビに散布するようになった。
【００８４】
サトウキビへの農薬の散布は、サトウキビの植付け時期と、サトウキビの丈が５０センチメートル程度に成長した時期と、さらに成長して１００センチメートル程度に成長した時期などの数回に亘って行われるが、本発明に係る農薬散布器によれば、持ち手部５の握り部１０から農薬が噴出する散布面１までの距離が３０センチメートル以上であるように構成されているため、丈が１５０センチメートル程度までサトウキビが成長しても、散布者はサトウキビに対して十分距離をとって散布することができ、従来の発明やペットボトルの蓋に孔を開けて散布する方法に比べて、散布者が農薬を浴びたり吸い込む危険性を低減でき、安全に散布作業を行うことができる。
【００８５】
また、農薬は、サトウキビ全体に農薬が付着するようにサトウキビの真上から散布すると、より効果的である。そこで、散布面１を散布部２の下面に配して構成すると良い。
【００８６】
図６は、散布面１を散布部２の下面に配した一実施例を示したものである。散布面１を、農薬の散布方向である下方に配した散布部２からなる構成としている。
【００８７】
これによれば、丈の高いサトウキビに対しても、散布者はサトウキビに対して十分距離をとって安全を確保しつつ、容易にサトウキビの真上から農薬を散布することができ、サトウキビ全体に農薬が付着するようにサトウキビの真上から農薬を散布することで、より効果的に病害虫の駆除・防除を行うことができる。
【図面の簡単な説明】
【００８８】
【図１】本発明に係る農薬散布器全体の斜視図を示す。
【図２】散布部と収容部とを可撓的に連結した農薬散布器全体の斜視図を示す。
【図３】散布面に農薬漏出を防止するカバーが設けられた状態の農薬散布器全体の斜視図を示す。
【図４】シャベル形状部分が一体に形成されている接続部と、接続部に連結された持ち手部との斜視図を示す。
【図５】本発明に係る農薬散布器を使って、サトウキビの真上から農薬を散布する一実施例を示す。
【図６】散布面を散布部の下面に配した農薬散布器の斜視図を示す。
【符号の説明】
【００８９】
１    散布面
２    散布部
３    収容部
４    接続部
５    持ち手部
６    チューブ
７    孔
８    カバー
９    シャベル形状部分
１０  握り部
１１  締付部材
【図１】
2008228635.tif 000003
【図２】
2008228635.tif 000004
【図３】
2008228635.tif 000005
【図４】
2008228635.tif 000006
【図５】
2008228635.tif 000007
【図６】
2008228635.tif 000008